(57)【要約】【課題】通信状態に応じて適切な表示を行うことができる電子機器を提供する。【解決手段】ノートパソコン１は、アンテナ１９と、表示面１３ａを構成する複数の画素６５を有し、複数の画素６５に電圧を印加して表示を行う表示装置１３と、画像データＤ１に応じて複数の画素６５に電圧が印加されるように表示装置１３を制御するＣＰＵ３１及び表示処理部３９とを有し、ＣＰＵ３１及び表示処理部３９は、アンテナ１９による通信におけるノイズの影響を示す指標値を算出し、画像データＤ１に応じて複数の画素６５に印加される電圧が、指標値に応じて変化するように、表示装置１３の動作を制御する。【選択図】図４
2008209802.tif 000002
【特許請求の範囲】
【請求項１】
アンテナと、
表示面を構成する複数の画素を有し、前記複数の画素に電圧を印加して表示を行う表示装置と、
所定の画像データに応じて前記複数の画素に電圧が印加されるように前記表示装置を制御する制御部と、
を有し、
前記制御部は、前記アンテナによる通信におけるノイズの影響を示す所定の指標値を算出し、前記画像データに応じて前記複数の画素に印加される電圧が、前記指標値に応じて変化するように、前記表示装置の動作を制御する
電子機器。
【請求項２】
前記電子機器は、開状態から閉状態に折り畳み可能に連結された上部筐体及び下部筐体を有し、
前記下部筐体は、所定の設置面に載置可能に構成され、
前記上部筐体は、前記開状態において、前記所定の設置面に交差するように、前記所定の設置面に載置された前記下部筐体に支持されることが可能に構成され、
前記下部筐体には、前記閉状態において前記上部筐体に対向する面に露出する操作部が設けられ、
前記上部筐体には、
前記閉状態において前記下部筐体に対向する面に前記表示面が露出する前記表示装置と、
カード型無線端末を、当該カード型無線端末の面を前記表示面に平行にして挿入可能なカードスロット部と、
が設けられ、
前記アンテナは、前記カード型無線端末に設けられ、電波を送受信可能なアンテナである
請求項１に記載の電子機器。
【請求項３】
表示面を構成する複数の画素を有し、前記複数の画素に電圧を印加して表示を行う表示装置と、
前記表示面に重なるように設けられ、アンテナを取り付け可能なアンテナ取付部と、
所定の画像データに応じて前記複数の画素に電圧が印加されるように前記表示装置を制御する制御部と、
を有し、
前記制御部は、前記アンテナによる通信におけるノイズの影響を示す所定の指標値を算出し、前記画像データに応じて前記複数の画素に印加される電圧が、前記指標値に応じて変化するように、前記表示装置の動作を制御する
電子機器。
【請求項４】
前記電子機器は、開状態から閉状態に折り畳み可能に連結された上部筐体及び下部筐体を有し、
前記下部筐体は、所定の設置面に載置可能に構成され、
前記上部筐体は、前記開状態において、前記所定の設置面に交差するように、前記所定の設置面に載置された前記下部筐体に支持されることが可能に構成され、
前記下部筐体には、前記閉状態において前記上部筐体に対向する面に露出する操作部が設けられ、
前記上部筐体には、前記閉状態において前記下部筐体に対向する面に前記表示面が露出する前記表示装置が設けられ、
前記アンテナ取付部は、カード型無線端末を、当該カード型無線端末の面を前記表示面に平行にして挿入可能なカードスロット部である
請求項３に記載の電子機器。
【請求項５】
前記制御部は、前記指標値により示されるノイズの影響が大きいときに、前記画素に印加される電圧が低くなるように、前記表示面の輝度を変化させる
請求項１〜４のいずれか１項に記載の電子機器。
【請求項６】
電波の送信及び受信の少なくとも一方を行うためのアンテナと、
画像データに基づく表示を行う表示装置と、
前記アンテナによる通信におけるノイズの影響を示す所定の指標値を算出し、前記画像データに基づく表示が前記指標値に応じて変化するように、前記表示装置の動作を制御する制御部と、
を有する電子機器。
【請求項７】
前記制御部は、前記表示装置の表示面内のうち所定の表示エリア内においてのみ前記画像データに基づく表示を行い、前記指標値に応じて、前記表示エリアの大きさ、形状及び位置の少なくともいずれか一を変化させるように、前記表示装置の動作を制御する
請求項６に記載の電子機器。
【請求項８】
前記制御部は、前記指標値により示されるノイズの影響が大きいときに、前記表示エリアを小さくするように前記表示装置の動作を制御する
請求項７に記載の電子機器。
【請求項９】
前記制御部は、前記指標値により示されるノイズの影響が大きいときに、前記表示エリアを前記アンテナから遠ざけるように、前記表示装置の動作を制御する
請求項７又は８に記載の電子機器。
【請求項１０】
前記制御部は、
前記表示エリアを、大きさ、形状及び位置の少なくとも一が互いに異なる複数の形態に順次切り替えるように前記表示装置を制御し、
前記複数の形態が前記表示エリアに適用されているときの前記指標値を前記複数の形態毎に算出し、
前記複数の形態から、前記複数の形態毎の前記指標値に基づいて、一の形態を選択し、
その選択した形態を前記表示エリアに適用するように前記表示装置を制御する
請求項７〜９のいずれか１項に記載の電子機器。
【請求項１１】
前記画像データは、動画像の画像データであり、
前記制御部は、前記指標値により示されるノイズの影響が大きいときに、フレームレートを低くする
請求項６〜１０のいずれか１項に記載の電子機器。
【発明の詳細な説明】
【技術分野】
【０００１】
本発明は、表示装置を備えるとともに、アンテナによる通信を行う電子機器に関する。
【背景技術】
【０００２】
無線通信を行うためのアンテナを備えるとともに、種々の情報を表示する表示装置を備える電子機器が種々知られている。特許文献１では、ＧＰＳアンテナと、ＧＰＳアンテナを利用した通信により得られた位置を表示する表示装置とを備えたＧＰＳ受信機が開示されている。特許文献１において、表示装置は、２つの液晶表示パネルを有している。アンテナは、一方の液晶表示パネルに積層的に配置されている。そして、特許文献１のＧＰＳ受信機は、表示装置がＧＰＳアンテナの受信感度に及ぼす影響を低減するために、ＧＰＳアンテナの受信時に、２つの液晶表示パネルのうち、アンテナに積層された前記一方の液晶表示パネルによる表示を停止する。
【特許文献１】特開２００１−２７６８１号公報
【発明の開示】
【発明が解決しようとする課題】
【０００３】
しかし、特許文献１の技術では、通信が行われるときには必ず表示を停止することから、種々の不都合が生じる。例えば、特許文献１の技術では、ＧＰＳ受信機を対象としており、通信は間欠的に行われる。しかし、特許文献１の技術とは異なり、無線により通話を行う電子機器のように、長時間に亘って常時通信が行われるような電子機器においては、通信中は全く表示が行われないこととなり、表示パネルのコストに対する利便性が得られない。
【０００４】
一方、電子機器の周囲の環境、電子機器と送受信相手との距離、通信内容等によっては、表示を停止してしまわなくても、必要十分なＳＮ比で通信を行うことが可能な場合がある。
【０００５】
本発明の目的は、通信状態に応じて適切な表示を行うことができる電子機器を提供することにある。
【課題を解決するための手段】
【０００６】
本発明の第１の観点の電子機器は、アンテナと、表示面を構成する複数の画素を有し、前記複数の画素に電圧を印加して表示を行う表示装置と、所定の画像データに応じて前記複数の画素に電圧が印加されるように前記表示装置を制御する制御部と、を有し、前記制御部は、前記アンテナによる通信におけるノイズの影響を示す所定の指標値を算出し、前記画像データに応じて前記複数の画素に印加される電圧が、前記指標値に応じて変化するように、前記表示装置の動作を制御する。
【０００７】
好適には、前記電子機器は、開状態から閉状態に折り畳み可能に連結された上部筐体及び下部筐体を有し、前記下部筐体は、所定の設置面に載置可能に構成され、前記上部筐体は、前記開状態において、前記所定の設置面に交差するように、前記所定の設置面に載置された前記下部筐体に支持されることが可能に構成され、前記下部筐体には、前記閉状態において前記上部筐体に対向する面に露出する操作部が設けられ、前記上部筐体には、前記閉状態において前記下部筐体に対向する面に前記表示面が露出する前記表示装置と、カード型無線端末を、当該カード型無線端末の面を前記表示面に平行にして挿入可能なカードスロット部と、が設けられ、前記アンテナは、前記カード型無線端末に設けられ、電波を送受信可能なアンテナである。
【０００８】
本発明の第２の観点の電子機器は、表示面を構成する複数の画素を有し、前記複数の画素に電圧を印加して表示を行う表示装置と、前記表示面に重なるように設けられ、アンテナを取り付け可能なアンテナ取付部と、所定の画像データに応じて前記複数の画素に電圧が印加されるように前記表示装置を制御する制御部と、を有し、前記制御部は、前記アンテナによる通信におけるノイズの影響を示す所定の指標値を算出し、前記画像データに応じて前記複数の画素に印加される電圧が、前記指標値に応じて変化するように、前記表示装置の動作を制御する。
【０００９】
好適には、前記電子機器は、開状態から閉状態に折り畳み可能に連結された上部筐体及び下部筐体を有し、前記下部筐体は、所定の設置面に載置可能に構成され、前記上部筐体は、前記開状態において、前記所定の設置面に交差するように、前記所定の設置面に載置された前記下部筐体に支持されることが可能に構成され、前記下部筐体には、前記閉状態において前記上部筐体に対向する面に露出する操作部が設けられ、前記上部筐体には、前記閉状態において前記下部筐体に対向する面に前記表示面が露出する前記表示装置が設けられ、前記アンテナ取付部は、カード型無線端末を、当該カード型無線端末の面を前記表示面に平行にして挿入可能なカードスロット部である。
【００１０】
好適には、前記制御部は、前記指標値により示されるノイズの影響が大きいときに、前記画素に印加される電圧が低くなるように、前記表示面の輝度を変化させる。
【００１１】
本発明の第３の観点の電子機器は、電波の送信及び受信の少なくとも一方を行うためのアンテナと、画像データに基づく表示を行う表示装置と、前記アンテナによる通信におけるノイズの影響を示す所定の指標値を算出し、前記画像データに基づく表示が前記指標値に応じて変化するように、前記表示装置の動作を制御する制御部と、を有する。
【００１２】
好適には、前記制御部は、前記表示装置の表示面内のうち所定の表示エリア内においてのみ前記画像データに基づく表示を行い、前記指標値に応じて、前記表示エリアの大きさ、形状及び位置の少なくともいずれか一を変化させるように、前記表示装置の動作を制御する。
【００１３】
好適には、前記制御部は、前記指標値により示されるノイズの影響が大きいときに、前記表示エリアを小さくするように前記表示装置の動作を制御する。
【００１４】
好適には、前記制御部は、前記指標値により示されるノイズの影響が大きいときに、前記表示エリアを前記アンテナから遠ざけるように、前記表示装置の動作を制御する。
【００１５】
好適には、前記制御部は、前記表示エリアを、大きさ、形状及び位置の少なくとも一が互いに異なる複数の形態に順次切り替えるように前記表示装置を制御し、前記複数の形態が前記表示エリアに適用されているときの前記指標値を前記複数の形態毎に算出し、前記複数の形態から、前記複数の形態毎の前記指標値に基づいて、一の形態を選択し、その選択した形態を前記表示エリアに適用するように前記表示装置を制御する。
【００１６】
好適には、前記画像データは、動画像の画像データであり、前記制御部は、前記指標値により示されるノイズの影響が大きいときに、フレームレートを低くする。
【発明の効果】
【００１７】
本発明よれば、通信状態に応じて適切な表示を行うことができる。
【発明を実施するための最良の形態】
【００１８】
図１は、本発明の第１の実施形態の電子機器としてのノートパソコン１の外観を示す斜視図である。図１（ａ）は、ノートパソコン１の開状態を示している。図１（ｂ）はノートパソコン１の閉状態を示している。図１（ｃ）は、図１（ａ）のＩｃ−Ｉｃ線矢視方向における断面図を示している。
【００１９】
ノートパソコン１は、下部筐体３と、下部筐体３と連結された上部筐体５とを有している。なお、ノートパソコン１全体の筐体は、下部筐体３及び上部筐体５により構成されている。
【００２０】
ノートパソコン１は、いわゆる折り畳みが可能に構成されている。すなわち、下部筐体３と上部筐体５とは、互いの縁部が、当該縁部に沿う回転軸Ｒ１回りに回転可能に連結されている。そして、ノートパソコン１は、図１（ａ）に示す開状態と図１（ｂ）に示す閉状態との間で変形可能である。
【００２１】
開状態では、下部筐体３と上部筐体５とは互いに交差する。そして、下部筐体３が設置面に載置され、上部筐体５が設置面に交差する。上部筐体５は下部筐体３に支持される。通常、接地面は概ね水平な面である。すなわち、開状態では、下部筐体３は水平面に対して平行に、上部筐体５は、水平面に対して交差するように配置される。なお、下部筐体３が設置面に載置されているとき、回転軸Ｒ１は、設置面に平行な回転軸である。
【００２２】
閉状態では、下部筐体３と上部筐体５とは互いに重ねあわされる。下部筐体３と上部筐体５とは、閉状態において、その積層方向に見て、互いの形状が概ね一致するように構成されている。
【００２３】
下部筐体３には、例えば、操作部７が設けられている。操作部７は、下部筐体３の閉状態において上部筐体５と対向する対向面３ａにおいて露出する、複数のキー９、タッチパッド１１を含んで構成されている。
【００２４】
上部筐体５には、例えば、表示装置１３が設けられている。表示装置１３は、上部筐体５の閉状態において下部筐体３に対向する対向面５ａにおいて露出する表示面１３ａを有している。表示面１３ａは、例えば、上部筐体５の対向面５ａの大部分を占める面積を有している。例えば、表示面１３ａは、対向面５ａの面積の８０％以上、若しくは、９０％以上、又は、９５％以上の面積を占めている。対向面５ａ及び表示面１３ａの形状はそれぞれ適宜に設定されてよいが、例えば、矩形である。
【００２５】
上部筐体５には、電波を利用した無線通信を行うための無線端末１５が設けられている。なお、無線端末１５は、ノートパソコン１の一部として捉えられてもよいし、ノートパソコン１に取付可能なノートパソコン１とは異なる電子機器として捉えられてもよい。
【００２６】
無線端末１５は、例えば、いわゆるカード側無線端末により構成されている。すなわち、無線端末１５の外形はカード状である。より具体的には、概ね、薄型直方体状である。上部筐体５には、表示装置１３の背面側（上部筐体５の対向面５ａとは反対側）に、アンテナ取付部としてのスロット部１７が設けられている。無線端末１５は、表示装置１３に積層されるように（図１（ｃ））、すなわち、カードの面１５ａ，１５ｂが表示面１３ａに平行になるように、スロット部１７に挿入され、上部筐体５に取り付けられている。
【００２７】
無線端末１５は、全体が上部筐体５に挿入されても、一部が挿入されてもよい。本実施形態では、一部が挿入されており、残りの部分が上部筐体５から露出している場合を例示している。なお、上部筐体５に挿入されている部分を挿入部分１５ｃ、上部筐体５から露出している部分を露出部分１５ｄという。挿入部分１５ｃと露出部分１５ｄとの面積比も適宜に設定されてよいが、本実施形態では、露出部分１５ｄが挿入部分１５ｃよりも小さい場合を例示している。挿入部分１５ｃの面積は、表示面１３ａの面積よりも小さい。例えば、挿入部分１５ｃの面積は、表示面１３ａの面積の１／４以下である。
【００２８】
無線端末１５は、上部筐体５に対して、適宜な位置において適宜な方向に挿入可能であってよい。ただし、下部筐体３から離間されていたほうが、下部筐体３から受けるノイズの影響は低減される。本実施形態では、無線端末１５を挿入するスロット部１７が上部筐体５の回転軸Ｒ１とは反対側寄りに設けられている場合を例示している。
【００２９】
無線端末１５は、電波及び電気信号の相互変換を行うためのアンテナ１９を有している。アンテナ１９は、例えば、チップアンテナにより構成されている。すなわち、アンテナ１９の外形は、比較的小型の基体により構成されており、その基体の内部に導体（アンテナ素子）が配置されている。
【００３０】
なお、指向性が強いチップアンテナによりアンテナ１９が構成される場合、例えば、アンテナ１９は、感度の高い方向（送受信面１９ａの向く方向）を無線端末１５のカードの面１５ａ及び／又は１５ｂの向く方向として無線端末１５に設けられている。
【００３１】
アンテナ１９によって送受信される電波には、垂直偏波が含まれている。垂直偏波は、電界が、地面（水平面、反射面）に対して垂直の電波である。一方、図１（ａ）に示されるように、開状態では、アンテナ１９は、垂直に近い状態に送受信面１９ａが配置される。従って、アンテナ１９は、開状態において垂直偏波を受信しやすくなっている。 
【００３２】
アンテナ１９は、無線端末１５のうち、挿入部分１５ｃ及び露出部分１５ｄのいずれに設けられていてもよい。ただし、露出部分１５ｄに設けられていたほうが、表示装置１３等によるノイズの影響が少ない。本実施形態では、アンテナ１９全体が露出部分１５ｄに配置されている場合を例示している。
【００３３】
図２は、ノートパソコン１の信号処理系の構成を示すブロック図である。
【００３４】
下部筐体３には、例えば、ＣＰＵ３１、ＲＯＭ３３、ＲＡＭ３５、及び、外部記憶装置３７が設けられている。ＣＰＵ３１は、ＲＯＭ３３及び／又は外部記憶装置３７に記録されているプログラムを読み出して実行し、種々の演算（処理）を行う。ＲＡＭ３５は、ＣＰＵ３１によりワーキングメモリとして使用される。ＣＰＵ３１の実行する種々の処理には、例えば、操作部７からの入力に応じた処理、表示装置１３の動作を制御するための処理、無線端末１５を介した無線通信を行うための処理が含まれる。なお、外部記憶装置３７には、ノートパソコン１に着脱可能な記憶媒体が含まれてもよい。
【００３５】
ＲＯＭ３３及び／又は外部記憶装置３７には、画像データＤ１が記憶されている。画像データＤ１は、静止画像の画像データであっても、動画像の画像データであってもよく、また、そのフォーマットも適宜なものが用いられてよい。また、画像データＤ１は、スキャナやデジタルカメラにより生成されたような、写真や図形を表すデータだけでなく、デスクトップアイコンを表示させるためのデータ、ウィンドウ枠を表示させるためのデータ、文字情報を表示させるためのデータ等、表示面１３ａに何らかの情報を表示させるための情報を含むデータであればよい。
【００３６】
ＣＰＵ３１は、画像データＤ１を読み出し、画像データＤ１に応じた信号を、後述する表示処理部３９に出力する。なお、画像データＤ１は、ＣＰＵ３１で適宜に生成されてＲＡＭ３５や外部記憶装置３７に記憶されたり、無線端末１５により受信されてＲＡＭ３５や外部記憶装置３７に記憶されることもある。
【００３７】
また、下部筐体３には、表示装置１３の動作を制御するための表示処理部３９が設けられている。表示処理部３９は、ＣＰＵ３１からの画像データに基づく信号を所定の画像信号に変換して表示装置１３へ出力する。なお、表示処理部３９は、その一部又は全部が上部筐体５に設けられていてもよい。
【００３８】
無線端末１５には、通信処理部４１が設けられている。通信処理部４１は、高周波回路を含んで構成されている。通信処理部４１は、ＣＰＵ３１で処理された各種データを変調して、アンテナ１９を介して送信する。また、通信処理部４１は、アンテナ１９を介して受信した信号を復調してＣＰＵ３１に出力する。
【００３９】
図３は、表示装置１３の構成を説明する図である。図３（ａ）は、表示装置１３全体を示す概念図である。図３（ｂ）は、図３（ａ）の領域ＩＩＩｂにおける構成を示す等価回路図である。
【００４０】
表示装置１３は、例えば、液晶ディスプレイにより構成されている。表示装置１３は、図３（ａ）に示すように、表示パネル５１と、表示パネル５１を駆動するためのソースドライバ５３及びゲートドライバ５５と、ソースドライバ５３及びゲートドライバ５５に電力を供給する電源部５７とを有している。
【００４１】
表示パネル５１は、特に図示しないが、２枚の基板間に液晶が封入されるとともに、カラーフィルタ、共通電極、表示電極等が積層されて構成されている。表示パネル５１では、複数の画素６５（一部のみ示す）が縦横に配列されている。複数の画素６５は、表示面１３ａを構成している。
【００４２】
ソースドライバ５３及びゲートドライバ５５は、例えば、表示パネル５１（表示面１３ａ）の外周側に配置されている。より具体的には、表示パネル５１に対して、無線端末１５が挿入される位置とは反対側に配置されている。すなわち、無線端末１５が、表示パネル５１の図３（ａ）の上方側（上部筐体５の回転軸Ｒ１とは反対側）且つ右側（回転軸Ｒ１の一方側）において配置されているのに対し、ソースドライバ５３及びゲートドライバ５５は、表示パネル５１の図３（ａ）の下方側（上部筐体５の回転軸Ｒ１側）及び左側（回転軸Ｒ１の他方側）に配置されている。
【００４３】
ソースドライバ５３は、例えば、複数のソースドライバＩＣ５４Ａ〜５４Ｂ（以下、単に、「ソースドライバＩＣ」といい、これらを区別しないことがある。）を含んで構成されている。なお、図３（ａ）では、２個のソースドライバＩＣ５４を例示している。ソースドライバＩＣ５４からは、複数のソースライン６１が図３の左右方向に延び、表示パネル５１を横断している（一部のみ図示。）。なお、図３（ａ）は、概念図であることから、ソースドライバＩＣ５４同士の間隔が広く描かれ、また、表示パネル５１内においてソースドライバＩＣ５４からのラインを分岐させることについても記載されていないが、ソースライン６１は、図３（ａ）の上下方向において等間隔で配置されている。
【００４４】
同様に、ゲートドライバ５５は、例えば、複数のゲートドライバＩＣ５６Ａ〜５６Ｄ（以下、単に、「ゲートドライバＩＣ」といい、これらを区別しないことがある。）を含んで構成されている。なお、図３（ａ）では、４個のゲートドライバＩＣ５６を例示している。ゲートドライバＩＣ５６からは、複数のゲートライン６３が図３の上下方向（ソースライン６１に直交する方向）に延び、表示パネル５１を縦断している（一部のみ図示。）。なお、図３（ａ）は、概念図であることから、ゲートドライバＩＣ５６同士の間隔が広く描かれ、また、表示パネル５１内においてゲートドライバＩＣ５６からのラインを分岐させることについても記載されていないが、ゲートライン６３は、図３（ａ）の左右方向において等間隔で配置されている。
【００４５】
なお、図３（ａ）及び図３（ｂ）では、表示パネル５１の長手方向（開状態の表示面１３ａの水平方向）においてソースライン６１が延び、表示パネル５１の短手方向にゲートライン６３が延びている場合を例示しているが、逆に、表示パネル５１の長手方向においてゲートライン６３が延び、表示パネル５１の短手方向にソースライン６１が延びていてもよい。
【００４６】
電源部５７は、ノートパソコン１の不図示の主電源部から供給された電力を適宜な電力に変換してソースドライバ５３及びゲートドライバ５５に供給する。
【００４７】
図３（ｂ）では、３×３画素の画素６５が示されている。なお、図３（ｂ）では、蓄積容量６７も図示している。複数の画素６５は、表示パネル５１において行方向（図３（ａ）及び図３（ｂ）の左右方向、表示パネル５１の長手方向）及び列方向（図３（ａ）及び図３（ｂ）の上下方向、表示パネル５１の短手方向）に配列されている。各ソースライン６１は、各行における複数の画素６５に共通に接続されている。各ゲートライン６３は、各列における複数の画素６５に共通に接続されている。
【００４８】
一の画素６５は、一のソースライン６１及び一のゲートライン６３の組み合わせに対応している。従って、複数のソースライン６１及び複数のゲートライン６３に対して選択的に適宜な電圧が印加されることにより、複数の画素６５に対して選択的に適宜な電圧が印加され、画像データＤ１に応じた表示が各画素６５においてなされる。そして、各画素６５における表示を順次実行することにより、すなわち、走査することにより、画像データＤ１に応じた表示が表示装置１３の表示面１３ａになされる。
【００４９】
ソースドライバ５３及びゲートドライバ５５は、表示処理部３９からの画像信号に応じた電圧を、当該画像信号に応じた順序で、複数のソースライン６１及び複数のゲートライン６３に対して印加する。なお、いわゆる液晶コントローラは表示処理部３９に含まれている。
【００５０】
図４は、ノートパソコン１の動作の概略を説明する概念図である。図４は、上部筐体５を正面（閉状態において下部筐体３に対向する方向）から見た図である。
【００５１】
図４（ａ）に示すように、無線端末１５により通信が行われていない場合、又は、無線端末１５による通信におけるＳＮ比が高いなど、通信状態が良好な場合には、ノートパソコン１は、表示面１３ａ全体を表示エリアＡＲ（ハッチングして示す）として使用する。
【００５２】
一方、図４（ｂ）に示すように、無線端末１５により通信が行われ、且つ、無線端末１５による通信におけるＳＮ比が低いなど、通信状態が良好でない場合には、ノートパソコン１は、表示面１３ａ全体のうち一部を表示エリアＡＲ（ハッチングして示す）として使用する。
【００５３】
すなわち、ノートパソコン１は、表示エリアＡＲを小さくする。また、ノートパソコン１は、その小さくした表示エリアＡＲが無線端末１５から遠ざかる位置に配置されるように、表示エリアＡＲを設定する。より好適には、ノートパソコン１は、表示エリアＡＲが無線端末１５と重ならないように、表示エリアＡＲを設定する。
【００５４】
なお、表示エリアＡＲの縦横比（形状）は、一般には、表示面１３ａと同一にすることが好ましい。ただし、画像データＤ１の内容によっては、例えば、画像データＤ１の内容が映画等の動画像である場合には、表示されるべき画像の縦横比が表示面１３ａの縦横比とは異なっているから、表示エリアＡＲの縦横比を、その表示されるべき画像の縦横比と同一とすれば、表示エリアＡＲ内に使用されない領域がなくなり、表示エリアＡＲを小さくしつつも画像を大きく表示できる。
【００５５】
以上のように表示エリアＡＲを設定することにより、無線端末１５の近傍（アンテナ１９の近傍）では、画素６５に電圧が印加されず、若しくは、画素６５に印加される電圧の変動が小さくなり、画素６５に印加される電圧により生じる、無線端末１５の通信におけるノイズの影響が軽減される。具体的には、以下のとおりである。
【００５６】
図３（ａ）に示すように、表示パネル５１を４つの分割領域ＤＲ１〜分割領域ＤＲ４に分けて考える。分割領域ＤＲ３を表示エリアＡＲとすると、ソースドライバＩＣ５４Ｂ及びゲートドライバＩＣ５６Ａ、５６Ｂにより表示パネル５１に電圧を印加すれば、表示エリアＡＲにおいて画像データＤ１に基づく表示を行うことができる。
【００５７】
そこで、例えば、表示処理部３９は、ソースドライバＩＣ５４Ａ及びゲートドライバＩＣ５６Ｃ、５６Ｄによる、表示パネル５１への電圧の印加を行わないように、ソースドライバ５３及びゲートドライバ５５に、画像データＤ１に基づく画像信号（制御信号）を出力する。この場合、無線端末１５と重なる分割領域ＤＲ２においては、画素６５に電圧が印加されず、電圧の変動は生じない。従って、表示面１３ａにおける電圧変動が無線端末１５に及ぼす影響が低減される。
【００５８】
また、例えば、表示処理部３９は、分割領域ＤＲ１、ＤＲ２、ＤＲ４において、画像データＤ１の内容に関らず、空間的及び時間的に一定の色及び輝度の表示を行う。この場合、走査に伴って、無線端末１５と重なる分割領域ＤＲ２において電圧の変動が生じてしまう。しかし、画像データＤ１に基づく静止画を表示させる場合のように、空間的に電圧の変動が生じている場合や、画像データＤ１に基づく動画像を表示する場合のように、空間的及び時間的に電圧の電動が生じている場合に比較して、電圧の変動が規則的である。すなわち、分割領域ＤＲ２における電圧の変動によって生じるノイズは、ノイズの定常成分として検出し、除供することができる。従って、表示面１３ａにおける電圧変動により生じたノイズを種々の処理により除去しやすくなる。また、後述する第２の実施形態のように、分割領域ＤＲ１、ＤＲ２、ＤＲ４における空間的及び時間的に一定の表示を、画素６５に印加される電圧が低くなる輝度に設定すれば、走査により電圧変動が生じてもその電圧の変動幅は小さく、ノイズの影響が低減される。
【００５９】
なお、上記の例では、分割領域ＤＲ１〜ＤＲ４の境界線が、ソースドライバＩＣ５４間、且つ、ゲートドライバＩＣ５６間に位置する場合を説明したが、分割領域ＤＲ１〜ＤＲ４の境界線が、各ソースドライバＩＣ５４のソースライン６１間、各ゲートドライバＩＣ５６のゲートライン６３間に位置してもよい。
【００６０】
表示エリアＡＲ内の画素６５には、画像データＤ１に応じた電圧が印加される。例えば、画像データＤ１が、所定の大きさを有する画像のデータであれば、その全体の大きさが表示エリアＡＲの大きさに一致するように、拡大又は縮小されて表示される。又は、所定の大きさが表示エリアＡＲよりも大きい場合、その画像のうち、表示エリアＡＲの面積と同じ面積を有する一部が表示され、所定の大きさが表示エリアＡＲよりも小さければ、画像全体が表示エリアＡＲ内の適宜な位置に表示される。また、例えば、画像データＤ１が、デスクトップアイコン等を表示面１３ａの外周に沿って配置させるようなデータであれば、表示エリアＡＲの外周に沿ってデスクトップアイコン等が表示される。
【００６１】
図５は、通信状態に応じて、表示エリアＡＲの大きさ、形状、及び、位置の少なくともいずれかを変更するために、ＣＰＵ３１が実行するデータ転送前処理の手順を示すフローチャートである。なお、図５の処理の一部は、表示処理部３９によって行われてもよい。
【００６２】
図５の処理は、ノートパソコン１において、無線端末１５を介した通信が行われる機会が生じたときに実行されるものである。例えば、図５の処理は、ノートパソコン１において、メールを送信及び／又は受信するとき、ホームページを閲覧するとき、データを無線ＬＡＮで接続されたサーバにアップロード及び／又はダウンロードするとき等に実行される。
【００６３】
なお、図５の処理が実行されている間、図５の処理のトリガとなった通信とは無関係に、若しくは、当該通信と関連したアプリケーションの実行により、表示エリアＡＲには、画像データＤ１に基づく画像が表示されている。
【００６４】
ステップＳ１において、ＣＰＵ３１は、表示面１３ａ全体を表示エリアＡＲとして表示制御を行うとともに、そのときのアンテナ１９による通信におけるノイズの影響を示す指標値を取得する。
【００６５】
指標値は、例えば、ＳＮ比、ＲＳＳＩ、ＦＥＲである。１種類の指標値が取得されてもよいし、複数種類の指標値が取得されてもよい。また、指標値は、例えば、図５の処理が実行されるトリガとなった通信とは別の通信において取得される。当該別の通信は、例えば、常時行われている通信や、指標値の取得のために行われる、トリガとなった通信に比較してデータ量の少ない通信である。
【００６６】
なお、図５の処理が実行されるトリガとなった通信が実行される機会が生じる前から、表示面１３ａ全体が表示エリアＡＲとして設定されており、また、常時行われている通信に基づいて常時指標値が取得されているような場合には、ステップＳ１は省略されてよい。
【００６７】
ステップＳ２において、ＣＰＵ３１は、表示エリアＡＲを、大きさ、形状及び位置の少なくともいずれか一が互いに異なる複数の形態に切り換えて、その複数の形態毎に、ステップＳ１と同様に指標値を取得する。なお、複数の形態の大きさ、形状及び位置や、複数の形態の数は、予めユーザや製造者によって設定されていてもよいし、ＣＰＵ３１により適宜に演算されることにより、設定されてもよい。
【００６８】
図４（ｂ）において、複数の形態の例として、第１形態ＰＴ１、第２形態ＰＴ２及び第３形態ＰＴ３を示す。第１形態ＰＴ１、第２形態ＰＴ２及び第３形態ＰＴ３は、例えば、互いに同一の縦横比である。また、その縦横比は、例えば、表示面１３ａの縦横比に一致している。そして、無線端末１５が表示面１３ａの一の角部側（図４の右上）に配置されているのに対し、第１形態ＰＴ１、第２形態ＰＴ２、第３形態ＰＴ３は、前記一の角部に対向する角部側に配置されている。すなわち、無線端末１５と、第１形態ＰＴ１、第２形態ＰＴ２、第３形態ＰＴ３とは、表示面１３ａの対角線上の、両側に配置されている。そして、第１形態ＰＴ１、第２形態ＰＴ２、第３形態ＰＴ３となるにつれ、徐々に面積は小さくなる。また、面積が徐々に小さくなるにつれ、各形態は無線端末１５から遠ざかる。なお、図４（ｂ）では、形態の数として３個を例示したが、その数は適宜に設定されてよい。
【００６９】
図５のステップＳ３では、ステップＳ１及びステップＳ２において取得した指標値に基づいて、表示面１３ａ全体を表示エリアＡＲとする形態と、ステップＳ２において試した複数の形態との中から、一の形態を選択する。
【００７０】
ここで、例えば、単純に、指標値により示されるノイズの影響が最も小さい形態を選択すると、最も表示エリアＡＲの面積が小さくなる形態が選択されてしまう。そこで、例えば、所定の閾値を設定し、指標値と閾値とを比較し、指標値により示されるノイズの影響が閾値により示されるノイズの影響よりも小さい形態のうち、面積が最大となる表示エリアＡＲを選択する。ただし、指標値により示されるノイズの影響が閾値により示されるノイズの影響よりも小さい形態が無かった場合には、指標値により示されるノイズの影響が最も小さい形態を選択する。
【００７１】
また、例えば、表示エリアＡＲの形態毎に、見易さを示す評価値を、ユーザ若しくは製造者により予め、又は、ＣＰＵ３１により、設定する。そして、ノイズの影響を示す指標値と、見易さを示す評価値とにそれぞれ重み付けをして加算（ノイズの影響が大きくなるときに指標値が小さくなり、見易さが高くなるときに評価値が大きくなる場合など、指標値と評価値との増加方向が逆の場合。増加方向が同一の場合には減算）するなどし、ノイズの影響と見易さとを総合判断する判断パラメータを算出する。そして、その判断パラメータが最も高い形態を選択する。
【００７２】
なお、ステップＳ１やＳ２において、複数種類の指標値が取得されている場合には、各種類の指標値に適宜に重み付けをして加算するなどして、ノイズの影響を総合的に示す指標値を演算して、その指標値を用いてもよい。複数種類の評価値が設定又は演算される場合も同様である。
【００７３】
ステップＳ４では、ＣＰＵ３１は、ステップＳ３において選択した形態に表示エリアＡＲを切り替えるように、表示処理部３９を介して表示装置１３を制御する。そして、再度、指標値を取得する。
【００７４】
ステップＳ５では、ステップＳ４において取得した指標値が、一定の条件を満たすか否か確認する。このような確認をするのは、例えば、以下の理由からである。
【００７５】
例えば、指標値に応じて、通信の変調クラスを変更する場合がある。そして、ステップＳ１やＳ２における指標値の取得時と、その後の通信時とで変調クラスが異なる場合がある。変調クラスが異なれば、通信に関るノイズの影響も異なってくる。従って、ステップＳ３において、一定の条件を満たす指標値が取得された形態が選択されたとしても、その後の、変調クラスを変更した通信においても指標値が一定の条件を満たすとは限らない。
【００７６】
また、例えば、ステップＳ２において複数の形態に表示エリアＡＲを切り替えて指標値を取得した時点と、ステップＳ３の実行終了時点とでは、時間差がある。従って、ノートパソコン１が移動しているような場合には、ステップＳ２における指標値取得時点と、ステップＳ３の終了時点とでは、通信に関る環境が変化している。
【００７７】
また、例えば、ステップＳ２において表示エリアＡＲを切り換えている間には、表示エリアＡＲにおける電圧変動は各形態間で互いに同一にされていることが望ましいが、例えば、ステップＳ２の実行中においても画像データＤ１に基づく動画を表示エリアＡＲにおいて再生しているような場合には、表示エリアＡＲにおける電圧変動は各形態間で互いに異なることになり、偶発的にノイズの影響が少なくなった、若しくは、大きくなった状況で指標値が取得された可能性がある。
【００７８】
そこで、ステップＳ５において、ステップＳ４において得られた指標値が一定の条件を満たすか否か判定し、満たさないと判定した場合には、ステップＳ２の直前（又はステップＳ１の直前）に戻って、形態の選択をやり直す。ステップＳ５において、ステップＳ４において得られた指標値が一定の条件を満たすと判定された場合には、ステップＳ６に進む。
【００７９】
なお、一定の条件を満たすか否かの判定は、例えば、指標値と所定の閾値との比較による、指標値により示されるノイズの影響が、閾値により示されるノイズの影響よりも小さいか否かの判定である。ステップＳ５における判定処理は、ステップＳ３において行われる判定処理の一部又は全部と同一であってもよいし、異なっていてもよい。
【００８０】
ステップＳ６では、図５の処理のトリガとなった通信を開始する。なお、このときの表示エリアＡＲは、ステップＳ４で設定された形態の表示エリアＡＲである。
【００８１】
図６は、通信中（ステップＳ６の後）において、ＣＰＵ３１が実行する処理の手順を示すフローチャートである。
【００８２】
通信に長い時間を要する場合には、通信中にも、アンテナ１９による通信におけるノイズの影響は変化する。例えば、ノートパソコン１が移動している場合にはノートパソコン１の周囲の環境が変化する。また、例えば、通信中に、動画を再生するアプリケーションが起動されるなど、表示装置１３に画像を表示するアプリケーションが切り替えられれば、表示装置１３における電圧変動は変化する。そこで、以下のように、定期的にノイズの影響をチェックし、表示エリアＡＲを切り替える。
【００８３】
ステップＳ１１では、定期的に指標値を取得する。なお、指標値は、図５及び図６の処理のトリガとなった通信における指標値である。ただし、他の通信における指標値が取得されてもよい。指標値を取得する時間間隔は、適宜に設定されてよい。
【００８４】
ステップＳ１２では、ステップＳ１１において取得した指標値が一定の条件を満たすか否か判定する。当該ステップＳ１１は、図５のステップＳ５と同一であってもよいし、異なっていてもよい。
【００８５】
ステップＳ１２において、取得した指標値が一定の条件を満たすと判定した場合は、ＣＰＵ３１は、ステップＳ１１に戻る。これにより、取得した指標値が一定の条件を満たす限り、図５の処理により選択された形態の表示エリアＡＲ、又は、後述するステップＳ１３〜Ｓ１５により選択された形態の表示エリアＡＲによる表示が継続される。
【００８６】
ステップＳ１２において、取得した指標値が一定の条件を満たさないと判定した場合は、ＣＰＵ３１は、ステップＳ１３〜Ｓ１５を実行し、新たに表示エリアＡＲの形態を選択する。なお、ステップＳ１３〜Ｓ１５は、図５のステップＳ２〜Ｓ４と同様の処理である。ただし、指標値は、図５及び図６の処理のトリガとなった通信における指標値であってもよいし、他の通信における指標値であってもよい。
【００８７】
図５及び図６のトリガとなった通信が終了した場合には、例えば、表示エリアＡＲは、表示面１３ａ全体を表示エリアＡＲとする形態に切り換えられる。
【００８８】
なお、図６では、通信中に、指標値により示されるノイズの影響が一定の基準よりも大きくなった場合に表示エリアＡＲを小さくする場合について例示したが、通信中に、指標値により示されるノイズの影響が一定の基準よりも小さくなったときに、表示エリアＡＲを大きくする処理が行われてもよい。
【００８９】
以上の実施形態によれば、ＣＰＵ３１及び表示処理部３９は、アンテナ１９による通信におけるノイズの影響を示す指標値を算出し、その算出した指標値に応じて、同一の画像データＤ１であっても複数の画素６５に印加される電圧が変化するように、表示装置１３の動作を制御することから、表示面１３ａにおける電圧変動を必要十分な範囲で適切に制御することができる。すなわち、通信に及ぼすノイズの影響を必要十分な範囲で縮小するように表示エリアＡＲの大きさ、形状、及び、位置の少なくともいずれか一つを変更することができる。
【００９０】
その結果、無線端末１５を表示装置１３が設けられた上部筐体５に取り付けることの実現性が高まる。ここで、ノートパソコン１は、開状態において、上部筐体５（表示面１３ａ）が水平面に交差するように使用され、無線端末１５は、その表示面１３ａに平行に上部筐体５に挿入されるカード型無線端末である。そして、無線端末１５には、カードの面１５ａ及び／又は１５ｂと同一方向を向く送受信面を有する、チップアンテナにより構成されたアンテナ１９が設けられる。従って、無線端末１５（アンテナ１９）は、表示装置１３が設けられた上部筐体５に設けられることにより、垂直偏波を受信しやすくなる。さらに、カード型無線端末にチップアンテナが埋め込まれることにより、無線端末１５の小型化及び低コスト化が図られる。
【００９１】
なお、以上の実施形態において、ノートパソコン１は本発明の電子機器の一例であり、ＣＰＵ３１及び表示処理部３９の組み合わせは本発明の制御部の一例である。
【００９２】
本発明の第２の実施形態のノートパソコンは、第１の実施形態のノートパソコン１と同様の構成を有している。すなわち、図１〜図３に示した構成を有している。ただし、第２の実施形態のノートパソコンは、第１の実施形態と動作が異なる。
【００９３】
図７は、第２の実施形態のノートパソコンにおいて、外部記憶装置３７（若しくはＲＯＭ３３）に保持される、輝度選択データＤ３を示す概念図である。
【００９４】
輝度選択データＤ３は、無線端末１５による通信におけるノイズの影響を示す指標値の値と、表示装置１３の輝度の値とを対応付けて保持している。具体的には、指標値により示されるノイズの影響が大きいほど、表示を行うために画素６５に印加される電圧が低くなるように、指標値と輝度とが対応付けられている。
【００９５】
図７では、ノイズの影響が大きくなるほど、指標値が大きくなる場合を例示している。また、図７では、画素６５に印加される電圧が高いほど輝度が高くなる場合（ノーマリーブラックの液晶ディスプレイの場合）を例示している。従って、指標値が大きくなるほど、輝度が低くなるように、指標値と輝度とが対応付けられている。なお、以下の説明では、表示装置１３は、ノーマリーブラックの液晶ディスプレイであるものとして説明する。
【００９６】
輝度選択データＤ３に保持されている輝度は、例えば、表示面１３ａにおける各画素の輝度の上限値を示している。すなわち、ＣＰＵ３１及び表示処理部３９は、輝度選択データＤ３に保持されている輝度のいずれかが、最大輝度として設定されると、各画素６５の輝度がその最大輝度を超えないように、表示装置１３の動作を制御する。例えば、ＣＰＵ３１及び表示処理部３９は、画像データＤ１の内容を、画像全体の輝度が低くなるように変更し、表示装置１３に出力する。また、例えば、ＣＰＵ３１及び表示処理部３９は、画像データＤ１の内容を、最大輝度を超えない画素の輝度はそのままとするとともに最大輝度を超える画素の輝度を最大輝度に変更し、表示装置１３に出力する。
【００９７】
図８は、第２の実施形態においてＣＰＵ３１が実行する通信中処理の手順を示すフローチャートである。この処理は、無線端末１５による通信が行われている間に実行される。なお、図８の処理のうち、一部は表示処理部３９において実行されてもよい。
【００９８】
なお、図８の処理が行われている間、表示装置１３は、例えば、表示面１３ａ全体を表示エリアＡＲとして表示を行っている。
【００９９】
ステップＳ２１では、ＣＰＵ３１は、定期的に指標値を取得する。ステップＳ２２では、ＣＰＵ３１は、取得した指標値に対応する輝度を、輝度選択データＤ３を参照して特定する。ステップＳ２３では、その特定した輝度を最大輝度に設定し、表示装置１３の表示を行う。
【０１００】
なお、以上においては、表示装置１３がノーマリーブラックの液晶ディスプレイであるものとして説明したが、逆に、表示装置１３がノーマリーホワイトの液晶ディスプレイである場合には、例えば、輝度選択データＤ３において、指標値により示されるノイズが大きくなるほど輝度が大きくなるように指標値と輝度とは対応付けられ、ステップＳ２３では、ステップＳ２２で特定された輝度が、最小輝度として設定される。
【０１０１】
以上の実施形態によれば、第１の実施形態と同様の効果が得られる。すなわち、ＣＰＵ３１及び表示処理部３９は、算出した指標値に応じて、同一の画像データＤ１であっても、輝度が変化するように表示装置１３の動作を制御することから、結果として、指標値に応じて複数の画素６５に印加される電圧が変化するように表示装置１３の動作を制御することになる。そして、ノイズの影響が大きいほど、印加される電圧が低くなるように輝度を調整することにより、電圧変動の周期及び影響範囲（表示エリアＡＲ）自体は変化しないが、電圧変動の幅は小さくなることになり、表示装置１３が無線端末１５に及ぼす影響が、必要十分な範囲で低減される。
【０１０２】
本発明の第３の実施形態のノートパソコンは、第１の実施形態のノートパソコン１と同様の構成を有している。すなわち、図１〜図３に示した構成を有している。ただし、第３の実施形態のノートパソコンは、第１の実施形態と動作が異なる。
【０１０３】
図９は、第３の実施形態の動作を説明する概念図である。
【０１０４】
画像データＤ１が動画像のデータである場合、そのデータは、所定のフレームレートで画面が書き換えられるように、種々の情報を有している。例えば、フレームレートを指定する情報と、そのフレームレートで画面を更新したときにフレーム毎に表示される画像の情報を有している。ただし、フレームレートは、画像データのフォーマットに対して、表示されるべき規格として指定されるとともに、そのフレームレートの情報が、画像のフォーマット毎に動画再生ソフトにおいて保持されていてもよい。すなわち、フレームレートの情報は、画像データＤ１において保持されていなくてもよい。
【０１０５】
図９では、指定されたフレームレートで画面が表示されたときに、時間Ｔにおいて、複数フレーム（図９では６フレームを例示）の画像１００が順次表示される場合を例示している。画像１００の情報は、それぞれ、画像データＤ１に保持されている。一般に、画像１００は、互いに異なる画像である。
【０１０６】
ＣＰＵ３１及び表示処理部３９は、無線端末１５による通信におけるノイズの影響が小さいときには、画像データＤ１や動画再生ソフト等において指定されたフレームレートで全ての画像１００を表示する。しかし、ＣＰＵ３１及び表示処理部３９は、無線端末１５による通信におけるノイズの影響が大きいときには、指定されたフレームレートよりも低いフレームレートで画像１００を表示する。
【０１０７】
なお、この際、全ての画像１００が表示されてもよいし、図９においてハッチングして示す画像１００のみが表示されるように、複数の画像１００から所定数の画像１００が間引かれて表示されてもよい。すなわち、表示速度が標準よりも遅くされたように見えてもよいし、表示速度は標準と同じでありながら、動画像の動きが間欠的に見えるようになってもよい。
【０１０８】
フレームレートを低くする手順は、例えば、上述の第２の実施形態と同様に行ってよい。すなわち、予めノイズの影響を示す指標値と、フレームレートとを、指標値により示されるノイズの影響が大きくなるほどフレームレートが低くなるように対応付けたデータを用意する。そして、図８の処理と同様に、定期的に指標値を算出し、算出した指標値に対応するフレームレートを用意したデータから特定し、その特定したフレームレートで動画像を表示する。
【０１０９】
以上の実施形態によれば、第１及び第２の実施形態と同様の効果が得られる。すなわち、一般に、各フレームで表示される画像１００は互いに異なっており、各画素６５において印加される電圧はフレーム毎に異なっている。従って、フレームレートが高ければ、それだけ高い周波数で互いに異なる電圧が各画素６５に印加されることになり、電圧の変動が激しい。フレームレートが低くても、各フレームの画像１００が表示されている間においては、走査によって表示面１３ａに電圧変動は生じてしまう。しかし、同一の画像１００を表示している間に走査によって生じる電圧変動は時間的に規則的である。すなわち、フレーム間においてノイズは定常的である。従って、ノイズ除去が容易になる。
【０１１０】
例えば、ノートパソコンは、送受信相手から送信され、ノートパソコンにおいて受信されるべき所定の基準信号のデータを予め保持しておく。そして、表示面１３ａに表示される画像が、一の画像１００に更新された場合、送受信相手から基準信号を受信し、その実際に受信した基準信号と、予め保持されている基準信号とを比較して、実際に受信した基準信号に含まれるノイズを特定する。そして、その特定したノイズを前記一の画像１００が表示されている間に受信された受信信号から除去する。これにより、一の画像１００が表示されることによるノイズを、１フレーム間におけるノイズの定常成分として特定し、その１フレーム間における受信信号からノイズを除去することができる。
【０１１１】
本発明は、以上の実施形態に限定されず、種々の態様で実施されてよい。
【０１１２】
電子機器は、ノートパソコンに限定されない。表示装置及びアンテナを有し、若しくは、表示装置及び／又はアンテナが取り付け可能な電子機器であればよい。例えば、電子機器は、携帯電話機、ＰＤＡ、デジタルカメラ、ゲーム機、プリンタ、デスクトップコンピュータであってもよい。また、電子機器は、折り畳み可能に筐体が連結されたものに限定されず、例えば、一の筐体により構成されたものであってもよい。
【０１１３】
アンテナは、チップアンテナに限定されない。例えば、ホイップアンテナ、基板にプリントされたアンテナであってもよい。アンテナ取付部は、アンテナを有するカード型無線端末を差し込むためのスロット部に限定されない。例えば、ポールアンテナを差し込む孔部であってもよい。アンテナは、垂直偏波を送受信するものに限定されず、水平偏波を送受信するものであってもよい。また、アンテナは、送信及び受信の少なくとも一方を行うことができればよい。
【０１１４】
表示装置は、液晶ディスプレイに限定されない。例えば、有機ＥＬディスプレイであってもよい。有機ＥＬディスプレイであっても、表示パネル（表示面）を縦横に延びるラインに印加する電圧を制御して、表示面を構成する複数の画素に対して選択的に電圧を印加して表示を行うことは、液晶ディスプレイと同様であるから、上述した実施形態と同様に、複数の画素に印加される電圧の変動を抑制して、表示装置がアンテナに及ぼす影響を低減することができる。
【０１１５】
表示エリアの変更による電圧の変動の変更は、大きさ、形状及び位置の少なくともいずれか一が変更されればよい。例えば、電子機器が、表示装置に対して適宜な位置にアンテナを取り付け可能な構成である場合、換言すれば、制御部が表示装置とアンテナとの位置関係を一義的に特定できない場合、電子機器は、表示エリアの大きさ及び形状は固定した状態で、表示エリアの位置のみを複数のパターンの間で変化させ、最もノイズが小さくなる表示エリアの位置を特定してもよい。
【０１１６】
実施形態では、同一の画像データに応じて画素に印加される電圧を、表示エリアの形態の変更、輝度の変更、フレームレートの変更により、変更する場合を例示したが、これらは互いに組み合わされて実施されてもよい。
【０１１７】
また、実施形態では、指標値に応じた変更の仕方として、閾値に基づく方法、指標値と他のパラメータ（表示の見易さを示す評価値）とを組み合わせる方法、変更対象（表示エリア、輝度、フレームレート）を複数パターン試してみる方法、指標値と変更対象とを対応付けたデータに基づく方法等を例示したが、これらは適宜に組み合わされて使用されてよい。
【０１１８】
また、指標値に基づく画素に印加される電圧の変更は、送信時において行われてもよいし、受信時において行われてもよいし、送受信時において行われてもよい。所定の通信の実行前において、その通信とは別の通信における指標値に基づいて、電圧の変更が行われてもよい。
【図面の簡単な説明】
【０１１９】
【図１】本発明の第１の実施形態のノートパソコンの概略を示す図。
【図２】図１のノートパソコンの信号処理系の構成を示すブロック図。
【図３】図１のノートパソコンの表示装置の構成を説明する概念図。
【図４】図１のノートパソコンの動作を説明する図。
【図５】図１のノートパソコンが通信前に実行する処理の手順を示すフローチャート。
【図６】図１のノートパソコンが通信中に実行する処理の手順を示すフローチャート。
【図７】本発明の第２の実施形態のノートパソコンが保持するデータを示す概念図。
【図８】本発明の第２の実施形態のノートパソコンが実行する通信中の処理の手順を示すフローチャート。
【図９】本発明の第３の実施形態のノートパソコンの動作を説明する概念図。
【符号の説明】
【０１２０】
１…ノートパソコン（電子機器）、１９…アンテナ、１３…表示装置、１３ａ…表示面、６５…画素、Ｄ１…画像データ、３１…ＣＰＵ（制御部）、３９…表示処理部（制御部）。
【図１】
2008209802.tif 000003
【図２】
2008209802.tif 000004
【図３】
2008209802.tif 000005
【図４】
2008209802.tif 000006
【図５】
2008209802.tif 000007
【図６】
2008209802.tif 000008
【図７】
2008209802.tif 000009
【図８】
2008209802.tif 000010
【図９】
2008209802.tif 000011